(57)【要約】      （修正有）【課題】共通のパーツで異なる種類の家具を構成でき、しかも組み立て作業が極めて簡単な組立て家具を提供する。【解決手段】テーブルの天板は４枚の平板パーツ３によって構成されている。すなわち、平板パーツ３のアリ溝５に他の平板パーツ３のホゾ７を差し込んで嵌合し、略正方形の天板２１を構成する。更に、右側の２枚の平板パーツ３のアリ溝５に脚部パーツ１３のホゾ１５を差し込んで嵌め、左側の２枚の平板パーツ３のホゾ７を脚部パーツ１７のアリ溝１９に嵌める。これよりテーブル１が完成する。椅子は、右側の脚部パーツのアリ溝に平板パーツ３のホゾ７を差し込んで嵌め、左側の脚部パーツのホゾを平板パーツ３のアリ溝５に嵌める。これにより椅子が完成する。【選択図】図８
0003201722.tif 000002
【実用新案登録請求の範囲】
【請求項１】
端面にアリ溝または前記アリ溝に嵌る形状のホゾが形成された四角形の平板パーツと、前記アリ溝に嵌るホゾまたは前記ホゾが嵌るアリ溝が形成された脚部パーツとを具備し、前記平板パーツのアリ溝に前記脚部パーツのホゾが嵌められ、或いは前記平板パーツのホゾが前記脚部パーツのアリ溝に嵌められて組み立てられることを特徴とする組立て家具。
【請求項２】
請求項１に記載した組立て家具において、平板パーツの互いに隣接する二つの辺の端面にアリ溝が形成され、他の二辺の端面にホゾが形成されていることを特徴とする組立て家具。
【請求項３】
請求項１または２に記載した組立て家具において、組立て家具は椅子であり、脚部パーツには背もたれ部が形成されていることを特徴とする組立て家具。
【請求項４】
請求項１から３のいずれかに記載した組立て家具において、平板パーツどうしがアリ溝にホゾが嵌ることで連結され、複数の平板パーツが連結されていることを特徴とする組立て家具。
【請求項５】
請求項１から４のいずれかに記載した組立て家具において、平板パーツ、脚部パーツは絶縁性の材料によって構成され、且つアリ溝の内面に溝側導電体を設け、ホゾの外面にホゾ側導電体を設けて、前記アリ溝に前記ホゾを嵌めると前記溝側導電体と前記ホゾ側導電体とが接触することを特徴とする組立て家具。
【考案の詳細な説明】
【技術分野】
【０００１】
本考案は組立て家具に係り、特に同じパーツによって異なる種類の家具を製作できる組立て家具に関するものである。
【背景技術】
【０００２】
近年はネジや釘といった固定部材を使用しないで簡単に組み立てることができる組立て家具が利用されている。この組立て家具には椅子、テーブル等、種々のものがある。
特許文献１に記載されたテーブルセット、特許文献２に記載された組み立て椅子はいずれも固定部材を使用しないで、嵌合等による連結により組み立てることができるものである。
【先行技術文献】
【特許文献】
【０００３】
【特許文献１】特開２００４−２２２９２０号公報
【特許文献２】特開２０１２−１５２４０８号公報
【考案の概要】
【考案が解決しようとする課題】
【０００４】
しかしながら、椅子、テーブルなどを構成するパーツは全て形状の異なるものであり、家具の種類が異なれば、それぞれ別のパーツを製作することになり、コストが高くなってしまうという問題がある。また、パーツどうしは嵌合、差し込みなど異なる構造によって連結されるので、組み立て作業が意外と面倒である。
本考案は上記従来の問題点に着目して為されたものであり、共通のパーツで異なる種類の家具を構成でき、しかも組み立て作業が極めて簡単な組立て家具の提供を、その目的とする。
【課題を解決するための手段】
【０００５】
本考案は上記課題を解決するためになされたものであり、請求項１の発明は、端面にアリ溝または前記アリ溝に嵌る形状のホゾが形成された四角形の平板パーツと、前記アリ溝に嵌るホゾまたは前記ホゾが嵌るアリ溝が形成された脚部パーツとを具備し、前記平板パーツのアリ溝に前記脚部パーツのホゾが嵌められ、或いは前記平板パーツのホゾが前記脚部パーツのアリ溝に嵌められて組み立てられることを特徴とする組立て家具である。
【０００６】
請求項２の発明は、請求項１に記載した組立て家具において、平板パーツの互いに隣接する二つの辺の端面にアリ溝が形成され、他の二辺の端面にホゾが形成されていることを特徴とする組立て家具である。
【０００７】
請求項３の発明は、請求項１または２に記載した組立て家具において、組立て家具は椅子であり、脚部パーツには背もたれ部が形成されていることを特徴とする組立て家具である。
【０００８】
請求項４の発明は、請求項１から３のいずれかに記載した組立て家具において、平板パーツどうしがアリ溝にホゾが嵌ることで連結され、複数の平板パーツが連結されていることを特徴とする組立て家具である。
【０００９】
請求項５の発明は、請求項１から４のいずれかに記載した組立て家具において、平板パーツ、脚部パーツは絶縁性の材料によって構成され、且つアリ溝の内面に溝側導電体を設け、ホゾの外面にホゾ側導電体を設けて、前記アリ溝に前記ホゾを嵌めると前記溝側導電体と前記ホゾ側導電体とが接触することを特徴とする組立て家具である。
【考案の効果】
【００１０】
本考案の組立て家具では、共通のパーツで異なる種類の家具を構成することができる。しかも家具を組み立てる作業を極めて簡単に行うことが可能である。
【図面の簡単な説明】
【００１１】
【図１】本考案の実施の形態に係る家具を構成する平板パーツの平面図である。
【図２】図１の平板パーツの正面図である。
【図３】図１の平板パーツの構成部材の斜視図である。
【図４】図３の構成部材の正面図である。
【図５】図３の構成部材の右側面図である。
【図６】本考案の実施の形態１に係るテーブルの斜視図である。
【図７】図６のテーブルの分解斜視図である。
【図８】図６のテーブルの正面図である。
【図９】本考案の実施の形態２に係る椅子の斜視図である。
【図１０】図９の椅子の分解斜視図である。
【図１１】図９の椅子の右側面図である。
【図１２】本考案の実施の形態３に係るベンチの斜視図である。
【図１３】図１２のベンチの分解斜視図である。
【図１４】図１２のベンチの右側面図である。
【図１５】本考案の実施の形態４に係るベッドの斜視図である。
【図１６】図１５のベッドの分解斜視図である。
【図１７】図１５のベッドの右側面図である。
【考案を実施するための形態】
【００１２】
図１から図８によって本考案の実施の形態１に係る組立て家具としてのテーブル１を説明する。
符号３はテーブル１を構成する平板パーツを示し、この平板パーツ３は絶縁性の合成樹脂によって構成されている。平板パーツ３はほぼ正方形の平板状を為しており、互いに隣接する二つの辺の端面に正面視が台形となるアリ溝５が形成され、他の二辺の端面にはホゾ７が形成されている。ホゾ７はアリ溝５にぴったり嵌る形状を為している。
アリ溝５の傾斜する上下の内面にはアリ溝側導電体９が設けられており、ホゾ７の傾斜する上下面にはホゾ側導電体１１が設けられている。
【００１３】
平板パーツ３は２枚の構成部材３ａを接着剤によって貼り合わせることで構成されている。２枚の構成部材３ａは同一形状を有しており、互いに上下逆側の面どうしを接合させて貼り合わされている。
構成部材３ａの互いに隣接する二つの辺の端面にアリ溝５を構成する凹部５ａが形成され、他の二辺の端面にはホゾ７を構成する凸部７ａが形成されている。凹部５ａの傾斜面にアリ溝側導電体９が設けられ、凸部７ａの傾斜面にホゾ側導電体１１が設けられている。
【００１４】
符号１３は絶縁性の合成樹脂から成る脚部パーツを示し、この脚部パーツ１３は略角棒状の水平部１３ａと水平部１３ａの両端部に連結され、下方へ真っ直ぐ延びる一対の垂直部１３ｂによって構成されて、コの字状を為している。また、水平部１３ａの内側面にはアリ溝５に嵌るホゾ１５が形成されており、このホゾ１５は水平部１３ａの全長に渡って延びている。
符号１７は絶縁性の合成樹脂から成る脚部パーツを示し、この脚部パーツ１７は脚部パーツ１３と同様の構造で、略角棒状の水平部１７ａと水平部１７ａの両端部に連結され、下方へ真っ直ぐ延びる一対の垂直部１７ｂによって構成されて、コの字状を為している。また、水平部１７ａの内側面にはアリ溝１９が形成されており、このアリ溝１９は水平部１７ａの全長に渡って延びている。
【００１５】
テーブル１の天板２１は４枚の平板パーツ３によって構成されている。すなわち、平板パーツ３のアリ溝５に他の平板パーツ３のホゾ７を差し込んで嵌合し、略正方形の天板２１を構成する。更に、右側の２枚の平板パーツ３のアリ溝５に脚部パーツ１３のホゾ１５を差し込んで嵌め、左側の２枚の平板パーツ３のホゾ７を脚部パーツ１７のアリ溝１９へ嵌める。これよりテーブル１が完成する。
【００１６】
また、脚部パーツ１３の垂直部１３ｂにコンセントボックス２３を取り付けて、このコンセントボックス２３内の端子にアリ溝側導電体９、ホゾ側導電体１１を介して給電する構成とすることも可能である。アリ溝側導電体９、ホゾ側導電体１１は前述のようにホゾ７をアリ溝５に嵌合することにより接触して導通可能な状態となるので、コンセントボックス２３を備える位置を自由に選択することが可能である。
【００１７】
図９から図１１によって本考案の実施の形態２に係る組立て家具としての椅子３１を説明する。
椅子３１は実施の形態１で説明した平板パーツ３を共通の部品として用いるので、平板パーツ３については実施の形態１で用いた符号と同じ符号を付して、その説明を省略する。これは実施の形態３、４についても適用する。
【００１８】
符号３３は脚部パーツを示し、この脚部パーツ３３は略角棒状の水平部３３ａと水平部３３ａの両端部に連結され、下方へ真っ直ぐ延びる一対の垂直部３３ｂによって構成されて、コの字状を為している。水平部３３ａは平板パーツ３の幅寸法とほぼ同じ長さに設定されている。
また、水平部３３ａの内側面にはアリ溝３５が形成されており、このアリ溝３５は水平部３３ａの全長に渡って延びている。水平部３３ａの上端面には平板状の背もたれ部３７が設けられている。
【００１９】
符号３９は脚部パーツを示し、この脚部パーツ３９は略角棒状の水平部３９ａと水平部３９ａの両端部に連結され、下方へ真っ直ぐ延びる一対の垂直部３９ｂによって構成されて、コの字状を為している。水平部３９ａは平板パーツ３の幅寸法とほぼ同じ長さに設定されている。
また、水平部３９ａの内側面にはアリ溝５に嵌るホゾ４１が形成されており、このホゾ４１は水平部３９ａの全長に渡って延びている。
【００２０】
この椅子３１は、右側の脚部パーツ３３のアリ溝３５に平板パーツ３のホゾ７を差し込んで嵌め、左側の脚部パーツ３９のホゾ４１を平板パーツ３のアリ溝５に嵌める。これより椅子３１が完成する。
【００２１】
図１２から図１４によって本考案の実施の形態３に係る組立て家具としてのベンチ５１を説明する。
符号５３は脚部パーツを示し、この脚部パーツ５３は略角棒状の水平部５３ａと水平部５３ａの両端部に連結され、下方へ真っ直ぐ延びる一対の垂直部５３ｂによって構成されて、コの字状を為している。水平部５３ａは平板パーツ３の３枚分の幅寸法とほぼ同じ長さに設定されている。
また、水平部５３ａの内側面にはアリ溝５５が形成されており、このアリ溝５５は水平部５３ａの全長に渡って延びている。水平部５３ａの上端面には平板状の背もたれ部５７が設けられている。
【００２２】
符号５９は脚部パーツを示し、この脚部パーツ５９は略角棒状の水平部５９ａと水平部５９ａの両端部に連結され、下方へ真っ直ぐ延びる一対の垂直部５９ｂによって構成されて、コの字状を為している。水平部５９ａは平板パーツ３の３枚分の幅寸法とほぼ同じ長さに設定されている。
また、水平部５９ａの内側面にはアリ溝５に嵌るホゾ６１が形成されており、このホゾ６１は水平部５９ａの全長に渡って延びている。
【００２３】
このベンチ５１は、アリ溝５にホゾ７を嵌めて、３枚の平板パーツ３を互いに連結する。そして、右側の脚部パーツ５３のアリ溝５５に、平板パーツ３のホゾ７を差し込んで嵌め、更に左側の脚部パーツ５９のホゾ６１を３枚の平板パーツ３のアリ溝５に嵌める。これよりベンチ５１が完成する。
【００２４】
図１５から図１７によって本考案の実施の形態４に係る組立て家具としてのベッド７１を説明する。
符号７３は脚部パーツを示し、この脚部パーツ７３は略角棒状の水平部７３ａと水平部７３ａの両端部に連結され、下方へ真っ直ぐ延びる一対の垂直部７３ｂによって構成されて、コの字状を為している。水平部７３ａは平板パーツ３の４枚分の幅寸法とほぼ同じ長さに設定されている。また、水平部７３ａの内側面にはアリ溝７５が形成されており、このアリ溝７５は水平部７３ａの全長に渡って延びている。
【００２５】
符号７９は脚部パーツを示し、この脚部パーツ７９は略角棒状の水平部７９ａと水平部７９ａの両端部に連結され、下方へ真っ直ぐ延びる一対の垂直部７９ｂによって構成されて、コの字状を為している。水平部７９ａは平板パーツ３の４枚分の幅寸法とほぼ同じ長さに設定されている。また、水平部７９ａの内側面にはアリ溝５に嵌るホゾ８１が形成されており、このホゾ８１は水平部７９ａの全長に渡って延びている。
【００２６】
このベッド７１は、アリ溝５にホゾ７を嵌めて、８枚の平板パーツ３を互いに連結する。そして、右側の脚部パーツ７３のアリ溝７５に、４枚の平板パーツ３のホゾ７を差し込んで嵌め、更に左側の脚部パーツ７９のホゾ８１を４枚の平板パーツ３のアリ溝５に嵌める。これよりベッド７１が完成する。
【００２７】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では、組立て家具としてテーブル、椅子、ベンチ及びベッドを示したが、本考案はこれに限定されず、棚等、他の家具に適用することが可能である。
また、上記実施の形態では平板パーツ、脚部を絶縁性材料によって構成したが、本考案はこれに限定されず、木材、金属等によって構成してもよい。
【産業上の利用可能性】
【００２８】
本考案は組立て家具製造業に利用可能性を有し、共通のパーツで異なる種類の家具を構成することができ、家具を組み立てる作業を極めて簡単に行うことが可能である。
【符号の説明】
【００２９】
１…テーブル      ３…平板パーツ      ３ａ…平板パーツの構成部材
５…平板パーツのアリ溝      ５ａ…凹部      ７…平板パーツのホゾ
７ａ…凸部      ９…アリ溝側導電体      １０…ホゾ側導電体
１３…脚部パーツ      １３ａ…脚部パーツの水平部
１３ｂ…脚部パーツの垂直部      １５…脚部パーツのホゾ
１７…脚部パーツ      １７ａ…水平部      １７ｂ…垂直部
１９…脚部パーツのアリ溝      ２１…天板      ２３…コンセントボックス
３１…椅子      ３３…脚部パーツ      ３３ａ…脚部パーツの水平部
３３ｂ…脚部パーツの垂直部      ３５……脚部パーツのアリ溝
３７…背もたれ部      ３９…脚部パーツ      ３９ａ…脚部パーツの水平部
３９ｂ…脚部パーツの垂直部      ４１…脚部パーツのホゾ
５１…ベンチ      ５３…脚部パーツ      ５３ａ…水平部
５３ｂ…垂直部      ５５…アリ溝      ５７…背もたれ部
５９…脚部パーツ      ５９ａ…脚部パーツの水平部
６１…脚部パーツのホゾ      ７１…ベッド      ７３…脚部パーツ
７３ａ…脚部パーツの水平部      ７３ｂ…脚部パーツの垂直部
７５…脚部パーツのアリ溝      ７９…脚部パーツ
７９ａ…水平部      ７９ｂ…垂直部      ８１…ホゾ
【図１】
0003201722.tif 000003
【図２】
0003201722.tif 000004
【図３】
0003201722.tif 000005
【図４】
0003201722.tif 000006
【図５】
0003201722.tif 000007
【図６】
0003201722.tif 000008
【図７】
0003201722.tif 000009
【図８】
0003201722.tif 000010
【図９】
0003201722.tif 000011
【図１０】
0003201722.tif 000012
【図１１】
0003201722.tif 000013
【図１２】
0003201722.tif 000014
【図１３】
0003201722.tif 000015
【図１４】
0003201722.tif 000016
【図１５】
0003201722.tif 000017
【図１６】
0003201722.tif 000018
【図１７】
0003201722.tif 000019